(57)【要約】【課題】希望している色を紙などで直感的に判断することができる情報処理装置を提供する。【解決手段】色を調整するための複数のパラメータ（明度、彩度、コントラスト、色調）１により画像処理を行うことのできる情報処理装置１０において、印刷する画像データを複数のパラメータに基づいて画像処理する処理手段２と、前記処理手段２により画像処理された複数の画像データを記憶する記憶手段３とを有する。【選択図】        図１
2004179890.tif 000002
【特許請求の範囲】
【請求項１】
色を調整するための複数のパラメータにより画像処理を行う情報処理装置において、印刷する画像データを複数のパラメータに基づいて画像処理する処理手段と、前記処理手段により画像処理された複数の画像データを記憶する記憶手段とを有することを特徴とする情報処理装置。
【請求項２】
前記処理手段により画像処理された複数の画像データを出力データとして外部装置に出力する出力手段を有することを特徴とする請求項１記載の情報処理装置。
【請求項３】
１ページに前記処理手段により画像処理された複数の画像データを出力する機能を選択する選択手段を有し、前記出力手段は、前記選択手段により本機能が選択された場合に、前記処理手段により画像処理された画像データを変倍し、複数の画像データから構成される１ページ分の出力データを出力することを特徴とする請求項２記載の情報処理装置。
【請求項４】
前記出力手段は、複数の画像データを一意に識別するための識別子を出力データと共に前記外部装置に出力することを特徴とする請求項３記載の情報処理装置。
【請求項５】
画像処理された複数の画像データを識別する前記識別子を指定する指定手段を有することを特徴とする請求項４記載の情報処理装置。
【請求項６】
前記処理手段は、前記指定手段で指定された識別子を元に画像処理された画像データを一意に決定し、その画像データで使用したパラメータにより画像データを画像処理することを特徴とする請求項５記載の情報処理装置。
【発明の詳細な説明】
【０００１】
【発明の属する技術分野】
本発明は、色を調整するための複数のパラメータ（明度、彩度、コントラスト、色調）により画像処理を行うことのできる情報処理装置に関するものである。
【０００２】
【従来の技術】
カラープリンタはそれぞれの装置ごとに色みが異なっており、また、ディスプレイなどの表示装置上に映し出される画像の色と、カラープリンタなどの印刷装置で出力した結果の色が異なることも多い。
【０００３】
そのため、従来、ユーザーが希望している色を出すためには、プリンタドライバや画像加工用アプリケーションなどにより色調整を行ってから印刷をし、出力結果を確認しては再度色調整を行い、といった作業を繰り返しながら希望の色を印刷しなければならなかった。
【０００４】
また、色調整は入力色の複数のパラメータを調整しなければならないため、明度、コントラスト、彩度、ＲＧＢの３原色とＣＭＹＫ４色のバランスなどをスライドバーなどにより操作して調整を行う必要があった。
【０００５】
上述のとおり、従来のプリンタでの印刷においては、ユーザーが希望している色で印刷するためには、パラメータを変えては印刷結果を確認するといった試行錯誤的な方法を繰り返さなくてはならなかった。
【０００６】
プリンタでの印刷において、複数のパラメータに対応する複数のサンプルを表示画面上に表示し、複数のサンプルから１つのサンプルを指定し、サンプルに対応するパラメータに基づいて画像データに対して画像処理を施す従来技術がある（例えば、特許文献１）。
【０００７】
また、該技術は、プリンタでの印刷時において、ユーザーの希望する出力結果を容易に得られるように、複数のパラメータに対応する複数のサンプルを表示させ、選択されたサンプルのパラメータで画像データを処理することにより視覚的に理解できるようにしたものである。なお、該公報は、サンプルの画像データを対象としており、ユーザーが印刷したい画像データに対する方法ではない。
【０００８】
また、類似の技術として、プリンタドライバを用いてプリンタの個体差に応じた色むらなどの補正を簡単に行う特許文献２の「プリンタドライバを用いたプリンタ出力制御」が知られている。
【０００９】
【特許文献１】
特開平１１−１３６５２８号公報
【特許文献２】
特開２００１−９４８１２号公報
【００１０】
【発明が解決しようとする課題】
しかし前記従来技術においては、サンプルの画像データが希望の色で印刷できても、実際にユーザーが印刷する画像データは別のデータであるため、ユーザーが印刷する画像データを希望する色で印刷することが難しい。
【００１１】
本発明は、上述の問題を解決するため、ユーザーが印刷対象としている画像データに対して複数のパラメータに基づいて画像処理を施し、複数の画像処理データを１ページに印刷することを可能とすることで、希望している色を紙などで直感的に判断することができる情報処理装置を提供することを目的とする。
【００１２】
【課題を解決するための手段】
前記の課題を解決するために、請求項１記載の発明では、色を調整するための複数のパラメータ（明度、彩度、コントラスト、色調）により画像処理を行うことのできる情報処理装置において、印刷する画像データを複数のパラメータに基づいて画像処理する処理手段と、前記処理手段により画像処理された複数の画像データを記憶する記憶手段とを有する情報処理装置を最も主要な特徴とする。
【００１３】
請求項２記載の発明では、前記処理手段により画像処理された複数の画像データを出力データとして外部装置に出力する出力手段を有する請求項１記載の情報処理装置を主要な特徴とする。
【００１４】
請求項３記載の発明では、１ページに前記処理手段により画像処理された複数の画像データを出力する機能を選択する選択手段を有し、前記出力手段は、前記選択手段により本機能が選択された場合に、前記処理手段により画像処理された画像データを変倍し、複数の画像データから構成される１ページ分の出力データを出力する請求項２記載の情報処理装置を主要な特徴とする。
【００１５】
請求項４記載の発明では、前記出力手段は、複数の画像データを一意に識別するための番号などの識別子を出力データと共に前記外部装置に出力する請求項３記載の情報処理装置を主要な特徴とする。
【００１６】
請求項５記載の発明では、画像処理された複数の画像データを識別する前記識別子を指定する指定手段を有する請求項４記載の情報処理装置を主要な特徴とする。
【００１７】
請求項６記載の発明では、前記処理手段は、前記指定手段で指定された識別子を元に画像処理された画像データを一意に決定し、その画像データで使用したパラメータにより画像データを画像処理する請求項５記載の情報処理装置を主要な特徴とする。
【００１８】
【発明の実施の形態】
以下、本発明の実施の形態を図面に従って説明する。
図１は本発明の実施の形態に係る情報処理装置の機能ブロック図である。本情報処理装置１０は、紙に印字出力する外部装置１１と接続されている。
【００１９】
色を調整するための複数のパラメータ（明度、彩度、コントラスト、色調）１により画像処理を行う情報処理装置１０は、印刷する画像データを複数のパラメータ１に基づいて画像処理する処理手段２と、処理手段２により画像処理された複数の画像データを記憶する記憶手段３とを有する。
【００２０】
また情報処理装置１０は、処理手段２により画像処理された複数の画像データを出力データとして外部装置１１に出力する出力手段４を有する。また情報処理装置１０は、１ページに処理手段２により画像処理された複数の画像データを出力する機能を選択する選択手段５を有し、出力手段４は、選択手段５により本機能が選択された場合に、処理手段２により画像処理された画像データを変倍し、複数の画像データから構成される１ページ分の出力データを出力する。この際、出力手段４は、複数の画像データを一意に識別するための識別子を出力データと共に外部装置１１に出力する。
【００２１】
また情報処理装置１０は、画像処理された複数の画像データを識別する識別子を指定する指定手段６を有する。処理手段２は、指定手段６で指定された識別子を元に画像処理された画像データを一意に決定し、その画像データで使用したパラメータ１により画像データを画像処理する
【００２２】
図２は本発明の情報処理装置における制御動作のフローチャートである。ユーザーは、選択手段５により「１ページに画像処理した複数の画像データを出力する」サンプル印刷機能を選択する（Ｓ１でＹＥＳ）。
【００２３】
処理手段２は、複数の色のパラメータ１を元に印刷対象の画像データを画像処理する（Ｓ２）。そして画像処理した複数の画像データを変倍する（Ｓ３）。出力手段４は、複数の画像データから構成される１ページ分の出力データと複数の画像データを一意に識別するための識別子を外部装置１１に出力する（Ｓ４）。外部装置１１は、複数の画像データから構成される１ページ分の出力データと識別子を紙などの印刷媒体に印刷する（Ｓ５）。
【００２４】
ユーザーは印刷された出力結果を元に、指定手段６で希望する色で印刷された画像の識別子を指定する（Ｓ６でＹＥＳ）。処理手段２は、指定された識別子で使用した色のパラメータを元に印刷対象の画像データを画像処理し（Ｓ７）、出力データを出力手段４を介して外部装置１１に出力する（Ｓ８）。識別子が選択されていない場合（Ｓ６でＮＯ）は、そのまま出力データを出力手段４を介して外部装置１１に出力する（Ｓ９）。外部装置１１は、出力データを紙などの印刷媒体に印刷する（Ｓ１０）。
【００２５】
【発明の効果】
以上説明したように、本発明では、実際にユーザーが印刷しようとしている画像データに対して、複数のパラメータに基づいて画像処理を行い、１ページに複数の画像データを出力することにより、ユーザーが希望する色を出力された複数の画像データから選択することができる。モニタなどの表示装置上で確認するのではなく、実際に出力する紙などの印刷媒体上に、ユーザーの画像データが複数種類のパラメータに基づいて画像処理されて出力されるので、直感的、視覚的に希望の色を判断できるようになる。
【図面の簡単な説明】
【図１】本発明の実施の形態に係る情報処理装置の機能ブロック図である。
【図２】本発明の情報処理装置における制御動作のフローチャートである。
【符号の説明】
１  パラメータ
２  処理手段
３  記憶手段
４  出力手段
５  選択手段
６  指定手段
１０  情報処理装置
１１  外部装置
【図１】
2004179890.tif 000003
【図２】
2004179890.tif 000004